(57)【要約】【課題】放送電波の正常な受信が行なえない場合でも、この放送電波に含まれる映像情報および音声情報を録画・再生する際の利便性を向上させる。【解決手段】システム制御部１は、録画処理にあたり復調および分離して得た映像・音声信号に対するエラー頻度の情報、および時刻情報を復調・ＴＳ処理部４から取得し、前述した録画処理を開始した時刻から録画処理を終了した時刻までの時間に対する、前述した録画処理にあたり復調した映像・音声信号に対するエラー頻度の値が基準値未満である時間の割合である録画率を計算して、この情報と録画した番組のチャンネルや番組名などの情報と関連付けて記憶部１１に書き込む。この情報を表形式でモニタ表示させることで、ユーザは、録画した番組にかかる映像・音声データのうち、正常な受信を経て録画した部分の割合の大小を容易に把握することができる。【選択図】      図１
2006108920.tif 000002
【特許請求の範囲】
【請求項１】
デジタル放送電波を受信選局する受信選局手段と、
この受信選局手段により受信選局した放送電波に含まれる映像および音声を映像・音声データとして録画する録画手段と、
この録画手段により録画した映像・音声データのうち、品質が予め定められた条件を満たす部分の占める割合を示す録画品質情報を生成する手段と、
この生成した録画品質情報を、前記録画した映像・音声データの内容を特定するための基本情報と関連付けて管理する管理手段と、
この管理手段により管理される情報を表示手段に表示させる制御を行なう表示制御手段と
を備えたことを特徴とする車載端末装置。
【請求項２】
前記管理手段により管理される録画品質情報で示される割合が予め定めた基準を満たしていない場合に、この録画品質情報と関連付けて前記管理手段により管理される基本情報により特定される、前記録画手段により録画した映像・音声データを消去する手段をさらに設けたことを特徴とする請求項１に記載の車載端末装置。
【請求項３】
前記録画手段により録画した映像・音声データに対し、品質が前記予め定められた条件を満たしていない部分のみを消去する編集を行なう編集手段をさらに備えたことを特徴とする請求項１に記載の車載端末装置。
【発明の詳細な説明】
【技術分野】
【０００１】
本発明は、テレビ放送を録画・再生する機能を有する車載端末装置に関する。
【背景技術】
【０００２】
従来、自動車などの移動体には、車載用テレビ装置を搭載したものがある。この車載用テレビ装置は、放送局から送信される放送電波を受信して、この受信した放送電波に含まれる映像情報や音声情報を再生する装置である。
【０００３】
車載用テレビ装置には、例えば特許文献１に開示されたように、受信した放送電波に含まれる映像情報や音声情報を録画・再生するために、家庭用のビデオレコーダと同様の機能を備えたものがある。
【特許文献１】特開２００３−１６３８６２号公報
【発明の開示】
【発明が解決しようとする課題】
【０００４】
前述したような、録画・再生機能付きの車載用テレビ装置では、移動体の移動による周囲の環境の変化に伴い、放送電波の正常な受信が行なえない場合がある。このような場合には、当然ながら、録画・再生機能による正常な録画・再生も行なえなくなる。つまり、放送電波の正常な受信が行なえない状態で録画した番組を再生した場合には、例えば色が全く写らない映像を再生することになってしまうが、ユーザは、一般的に、過去に録画した番組の録画時の電波の状態を把握しているわけではないので、再生時において、正常でない映像・音声を、場合によっては長時間視聴することになってしまい、利便性を損ねてしまっていた。
【０００５】
そこで、本発明の目的は、放送電波の正常な受信が行なえない場合でも、この放送電波に含まれる映像情報および音声情報を録画・再生する際の利便性を向上させることが可能になる車載端末装置を提供することにある。
【課題を解決するための手段】
【０００６】
すなわち、本発明に係わる車載端末装置は、受信選局した放送電波に含まれる映像を映像・音声データとして録画し、この録画した映像・音声データのうち、品質が予め定められた条件を満たす部分の占める割合を示す録画品質情報を生成し、この生成した録画品質情報を、前記録画した映像・音声データの内容を特定するための基本情報と関連付けて管理し、この管理手段により管理される情報を表示手段に表示させる制御を行なうことを特徴とする。
【発明の効果】
【０００７】
本発明に係わる車載端末装置では、録画した映像・音声データのうち、品質が予め定められた条件を満たす部分の占める割合を示す録画品質情報を生成し、この生成した録画品質情報を、録画した映像・音声データの内容を特定するための基本情報とともに表示するので、ユーザは、録画した映像・音声データの再生を行なうか否かの目安となる情報を容易に把握することができる。
【発明を実施するための最良の形態】
【０００８】
以下図面により本発明の実施形態について説明する。  
図１は、本発明の実施形態にしたがった車載用放送録画再生装置の構成例を示すブロック図である。
【０００９】
本発明の実施形態にしたがった車載用放送録画再生装置は、放送局から送信される放送電波を受信して、この受信した電波に含まれる映像及び音声を再生する機能、および、この再生する映像及び音声を映像データおよび音声データとして記憶媒体に録画する機能を有する。
【００１０】
具体的には、本発明の実施形態にしたがった車載用放送録画再生装置は、図１に示すように、装置全体の動作を司るシステム制御部１を備え、また、ＴＶ（テレビ）アンテナ２が受信した、例えば地上波デジタルテレビ放送の電波から、予め選択したテレビ放送局の電波を選局するチューナ３、および、復調・ＴＳ（Transport Stream）処理部４を備える。
【００１１】
この復調・ＴＳ処理部４は、チューナ３により選局された電波を、ＴＶ映像信号、ＴＶ音声信号および番組情報用の信号に分離し、これら分離されたＴＶ映像信号やＴＶ音声信号を復調し、かつ、これらの信号に誤り訂正を行なって出力し、また、前述のように分離された番組情報用の信号から、ＥＰＧ（Electronic Program Guide：電子番組ガイド）の情報を取得する。
【００１２】
また、図１に示した車載用放送録画再生装置は、映像・音声処理部５、音声制御部６、表示制御部７、音声出力部（スピーカ）８、表示部（モニタ）９、入力部１０、および、記憶部１１を備える。
【００１３】
映像・音声処理部５は、復調・ＴＳ処理部４により分離されたＴＶ映像信号やＴＶ音声信号を復号（デコード）して出力する。音声制御部６は、映像・音声処理部５によりデコードされて出力されたＴＶ音声信号に対するＤ／Ａ変換および増幅を行なった信号を音声出力部８に出力する。表示制御部７は、映像・音声処理部５によりデコードされ手出力されたＴＶ映像信号や、番組情報用の信号を表示部９に出力する制御を行なう。
【００１４】
入力部１０は、各種キーや操作スイッチからなり、選局、録画、および再生などにかかる各種操作を受け付ける。記憶部１１は、前述のように分離されたＴＶ映像信号およびＴＶ音声信号を、映像データおよび音声データの録画データとして記憶する。記憶部１１は、例えばハードディスクドライブなどの、読み書きのランダムアクセスが繰り返し可能な記憶媒体である。
【００１５】
また、図１に示した車載用放送録画再生装置は、記憶部１１に記憶した映像データおよび音声データでなる録画番組を再生操作時に特定するための各種情報を取得または計算して、録画番組情報管理テーブル内の情報として管理する機能を有する。
【００１６】
図２は、本発明の実施形態にしたがった車載用放送録画再生装置の記憶部１１に記憶される録画番組情報管理テーブルの一例を表形式で示す図である。  
この録画番組情報管理テーブルで管理する各種情報は、記憶部１１に記憶した映像データおよび音声データでなる録画済み番組に対応するチャンネル、番組の録画日付、録画開始時刻、録画終了時刻、番組名、録画率、再放送補填有無情報、および、保存容量が関連付けられてなる情報である。
【００１７】
録画番組情報管理テーブル中のチャンネルおよび番組名の情報は、復調・ＴＳ処理部４により分離された番組情報用の信号に含まれる情報である。つまり、復調・ＴＳ処理部４が番組情報用の信号からチャンネルおよび番組名の情報を抽出してシステム制御部１に出力し、かつ、システム制御部１が、この出力されたチャンネルおよび番組名の情報を関連付けて録画番組情報管理テーブル中の情報として記憶部１１に書き込めばよい。
【００１８】
また、録画番組情報管理テーブル中の録画日付および録画開始時刻は、映像データおよび音声データでなる番組録画を開始した時刻を示し、録画番組情報管理テーブル中の録画終了時刻は、映像データおよび音声データでなる番組録画を終了した時刻を示す。これら、番組録画の開始時刻および終了時刻は、システム制御部１が備える計時機能により計時することができる。
【００１９】
また、録画番組情報管理テーブル中の録画率は、前述したように計時された録画開始時刻から録画終了時刻までに記憶部１１に書き込まれた映像・音声データのうち、放送電波の正常な受信を経て録画した部分が含まれる割合を百分率で表したものである。
【００２０】
次に、図１に示した構成の車載用放送録画再生装置の動作について説明する。  
図３は、本発明の実施形態にしたがった車載用放送録画再生装置の番組録画にかかる処理動作の一例を示すフローチャートである。
【００２１】
まず、車載用放送録画再生装置のシステム制御部１は、ユーザが入力部１０に対する予め定められた操作にしたがった、録画したい番組のチャンネル、録画開始日時、録画終了日時などの入力を受け付けると、これら入力された情報を関連付けて、これら関連付けた情報を予約録画設定情報として記憶部１１に書き込む（ステップＳ１）。
【００２２】
システム制御部１は、計時機能により計時した現在日時、および、記憶部１１に書き込まれた予約録画設定情報中の録画開始日時を比較して、現在日時が録画開始日時と一致した場合（ステップＳ２のＹＥＳ）には、この録画開始日時の情報と予約録画設定情報上で関連付けられたチャンネルの選局がなされるようにチューナ３を制御する。そしてシステム制御部１は、この選局された電波の復調、誤り訂正などの処理がなされるように復調・ＴＳ処理部４を制御し、また、復調・ＴＳ処理部４から映像・音声処理部５に入力された映像信号および音声信号で示される情報が、映像データおよび音声データでなる録画データとして記憶部１１に書き込まれる処理、つまり録画処理が開始されるように、映像・音声処理部５を制御する（ステップＳ３）。
【００２３】
映像データおよび音声データの記憶部１１への書き込み処理は、前述したステップＳ２の処理で「ＹＥＳ」と判別された場合に限らず、入力部１０の各種ボタンのうち、「録画」ボタン、つまり、録画開始を指示するためのボタンをユーザが操作した場合には、システム制御部１は、チューナ３が現在選局している電波の復調、誤り訂正などの処理がなされるように復調・ＴＳ処理部４を制御し、また、復調・ＴＳ処理部４から映像・音声処理部５に入力された映像信号および音声信号で示される情報が、映像データおよび音声データとして記憶部１１に書き込まれる処理が開始されるように、映像・音声処理部５を制御する。
【００２４】
映像データおよび音声データの記憶部１１への書き込み処理の開始後、システム制御部１は、計時機能により計時した現在日時、および、記憶部１１に記憶された予約録画設定情報中の録画終了日時を比較して、現在日時が録画終了日時と一致した場合には、ステップＳ３の処理により開始された処理である、映像データおよび音声データの記憶部１１への書き込み処理が終了するように、映像・音声処理部５を制御する（ステップＳ４）。
【００２５】
ステップＳ４の処理は、前述のように現在日時が録画終了日時と一致した場合に限らず、入力部１０の各種ボタンのうち、「停止」ボタン、つまり、録画停止を指示するためのボタンをユーザが操作した場合でもなされる。
【００２６】
システム制御部１は、復調・ＴＳ処理部４により復調された映像信号および音声信号が、アンテナ２による正常な受信、およびチューナ３による選局を経て復調した信号であるか否かを一定時間間隔で解析しており、この解析結果を示す情報、および、計時機能により計時した現在時刻を関連付けて管理する機能を有する。
【００２７】
この機能を具体的に説明する。まず、復調・ＴＳ処理部４は、前述のように復調および分離して得た映像・音声信号に対する単位時間あたりの誤り訂正回数であるエラー頻度の情報をシステム制御部１に一定時間間隔で出力する。
【００２８】
そして、システム制御部１は、復調・ＴＳ処理部４から出力されたエラー頻度の情報を入力するたびに、この情報で示される、単位時間あたりの誤り訂正回数の値が予め定められた基準値未満であるか否かを判別し、この判別結果を示す情報、および、計時機能により計時した現在時刻の情報を関連付けた情報を生成する。
【００２９】
システム制御部１は、これら生成した情報をもとに、録画データの全部分のうち、単位時間あたりの誤り訂正回数の値が予め定められた基準値未満である部分の延べ時間を計算し、前述した録画処理を開始した時刻から録画処理を終了した時刻までの時間に対する、前述した録画処理にあたり復調・分離した映像・音声信号の単位時間あたりの誤り訂正回数が基準値未満である時間の割合を計算する（ステップＳ５）。システム制御部１は、この計算した割合の情報を、録画番組情報管理テーブル（図２参照）における、録画した番組名の欄と対応する録画率の欄に書き込む。
【００３０】
つまり、アンテナ２による正常な受信、およびチューナ３による選局を経て復調した信号をもとにした録画処理が、前述した録画開始時刻から録画終了時刻まで時刻まで常に行なえた場合には、録画率は１００％となる。
【００３１】
そしてシステム制御部１は、ステップＳ５の処理で計算した最新の録画率、つまり、録画番組情報管理テーブルに書き込まれた録画率のうち、現在時刻と最も近い録画終了時刻と関連付けられた録画率の情報を読み出し、この録画率が１００％であるか否かを判別することで、録画した番組にかかる映像・音声データのうち、放送電波の正常でない受信を経て記憶部１１に書き込まれた部分があるか否かを判別する（ステップＳ６）。
【００３２】
ステップＳ６の処理で「ＹＥＳ」と判別された場合には、システム制御部１は、ステップＳ６の処理で読み出した録画率の値が予め定められた基準値（例えば５０％）未満であるか否かを判別する（ステップＳ７）。この録画率の基準値は、ユーザが入力部１０対して予め定められた操作を行なうことでいつでも変更することができる。
【００３３】
ステップＳ７の処理で「ＹＥＳ」と判別された場合には、システム制御部１は、ステップＳ３の処理で開始してステップＳ４の処理で終了した録画処理によって記憶部１１に記憶した映像・音声データを削除する（ステップＳ８）。これにより、録画した映像・音声データが、放送電波の正常でない受信を経て録画した部分が多いデータである、つまり、正常でない部分が多すぎて視聴に耐えないデータである場合にこれを自動的に削除することができるので、入力部１０への特別な操作を行なう必要なく、不必要なデータを記憶部１１の記憶領域から削除することができるので、記憶部１１の使用容量を節約することができる。
【００３４】
また、ユーザが入力部１０に対する予め定められた操作を行なうことで、記憶部１１に記憶された録画番組情報管理テーブルの情報を図２に示したような表形式で表示部９に表示させることができる。ユーザは、この読み出したテーブル中に示される録画率の項目を参照することで、録画した番組にかかる映像・音声データのうち、正常な受信を経て録画した部分の割合の大小を容易に把握することができるので、再生するか否かの目安となる情報を得ることができる。
【００３５】
また、本発明の実施形態にしたがった車載用放送録画再生装置は、録画した番組にかかる映像・音声データの一部が、放送電波の正常でない受信を経て録画したものである場合に、録画した番組にかかる映像・音声データに対し、電波の正常でない受信を経て録画した部分のみがカットされ、このカットした前後のデータで示される映像・音声が連続するような編集を行なう機能を有する。ユーザは、入力部１０に対して予め定められた操作を行なうことで、この機能を有効にする否かをいつでも切り替えることができる。
【００３６】
また、本発明の実施形態にしたがった車載用放送録画再生装置は、録画した番組にかかる映像・音声データの一部または全部が、放送電波の正常でない受信を経て録画したものである場合に、該当部分と同一内容の正常な映像・音声データを、同番組の再放送の受信を経て補填する機能を有する。以下、この機能の詳細について説明する。
【００３７】
図４は、本発明の実施形態にしたがった車載用放送録画再生装置の録画済み番組の再放送の録画処理にかかる処理動作の一例を示すフローチャートである。  
前述したように、復調・ＴＳ処理部４は、分離された番組情報用の信号から、例えば現在時刻から２４時間後までのＥＰＧ（電子番組ガイド）の情報を取得する機能を有し、システム制御部１は、このＥＰＧ情報を取得した（ステップＡ１）上で、このＥＰＧ情報で示される各番組名の情報と、記憶部１１に記憶した録画番組情報管理テーブルで示される、各番組名の情報とを照合し（ステップＡ２）、この照合により、過去に録画した番組と同一内容の番組の放送、いわゆる再放送が予定されているか否かを判別する（ステップＡ３）。
【００３８】
ステップＡ３の処理で「ＹＥＳ」と判別された場合には、システム制御部１は、計時機能により計時した日時が、既に録画した番組の再放送の開始時刻となった際に、この再放送の番組を放映するチャンネルの選局がなされるようにチューナ３を制御し、また、この選局された電波の復調、誤り訂正などの処理がなされるように復調・ＴＳ処理部４を制御し、また、復調・ＴＳ処理部４から映像・音声処理部５に入力された映像信号および音声信号で示される情報が、映像データおよび音声データとして記憶部１１に書き込まれる処理が開始されるように、映像・音声処理部５を制御する（ステップＡ４）。
【００３９】
そして、映像データおよび音声データの記憶部１１への書き込み処理の開始後、システム制御部１は、計時機能により計時した現在日時、および、記憶部１１に記憶されたＥＰＣ情報中の録画終了日時とを比較して、現在日時が録画終了日時と一致した場合には、ステップＡ４の処理により開始された、映像データおよび音声データの記憶部１１への書き込み処理が終了するように、映像・音声処理部５を制御する（ステップＡ５）。
【００４０】
そして、システム制御部１は、再放送の録画済み映像・音声データにおいて、正常な受信を経て録画できた部分があり、かつこの部分の内容が、再放送以前の放送で録画した映像・音声データ中の、電波の正常でない受信を経て録画した部分と同一の内容である場合に、この部分と対応する再放送の録画済み映像・音声データを、先の放送で録画した映像・音声データにおける同一内容の部分に対して上書き更新を施した映像・音声データを生成して、これを記憶部１１に記憶する（ステップＡ６）。
【００４１】
この処理を行なうことで、録画処理により生成した映像・音声データで示される映像・音声の中に、録画異常部分、つまり、放送電波の正常でない受信を経て録画された部分がある場合でも、当該放送の再放送を録画して得られた映像・音声データをもとに、先の放送の録画異常部分を録画正常部分に置き換えることができる。
【００４２】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００４３】
【図１】本発明の実施形態にしたがった車載用放送録画再生装置の構成例を示すブロック図。
【図２】本発明の実施形態にしたがった車載用放送録画再生装置の記憶部に記憶される録画番組情報管理テーブルの一例を表形式で示す図。
【図３】本発明の実施形態にしたがった車載用放送録画再生装置の番組録画にかかる処理動作の一例を示すフローチャート。
【図４】本発明の実施形態にしたがった車載用放送録画再生装置の録画済み番組の再放送の録画処理にかかる処理動作の一例を示すフローチャート。
【符号の説明】
【００４４】
１…システム制御部、２…ＴＶアンテナ、３…チューナ、４…復調・ＴＳ処理部、５…映像・音声処理部、６…音声制御部、７…表示制御部、８…表示部、９…表示部、１０…入力部、１１…記憶部。
【図１】
2006108920.tif 000003
【図２】
2006108920.tif 000004
【図３】
2006108920.tif 000005
【図４】
2006108920.tif 000006